(57)【特許請求の範囲】
【請求項１】
乳児に授乳の時、乳児の頭、尻及び足を支えるように、頭支持部（１０）、尻支持部（３０）及び足支持部（５０）が形成された授乳クッションにおいて、
前記頭支持部（１０）は、乳児の頭の後ろ部分を支えるように曲面の溝形態に形成され、前記頭支持部（１０）の下部に乳児の首の後ろを支えるように首支持曲面部（２０）が湾曲形態に突出して形成され、前記首支持曲面部（２０）の下部に乳児の尻を支えるように尻支持部（３０）が曲面の溝形態に形成され、前記尻支持部（３０）の下部に乳児の膝の後ろを支えるように膝支持曲面部（４０）が湾曲形態に突出して形成され、前記膝支持曲面部（４０）の下部に乳児の足を支えるように前記足支持部（５０）が形成され、前記尻支持部（３０）の上部両側端には凹部（７５）が緩やかに形成されることを特徴とする授乳クッション。
【請求項２】
前記頭支持部（１０）と尻支持部（３０）の中の何れか一つの背面には溝部（７０）が形成されることを特徴とする請求項１に記載の授乳クッション。
【請求項３】
前記頭支持部（１０）、首支持曲面部（２０）、尻支持部（３０）、膝支持曲面部（４０）及び足支持部（５０）が一体に成形されて本体板（２）が形成され、前記本体板（２）に緩衝パッド（３）が備えられ、前記緩衝パッド（３）に織物カバー（４）が着脱可能に備えられることを特徴とする請求項１または２に記載の授乳クッション。
【請求項４】
前記頭支持部（１０）、首支持曲面部（２０）、尻支持部（３０）、膝支持曲面部（４０）及び足支持部（５０）の辺縁に沿って枠部（５）が備えられ、
前記枠部（５）の材質はシリコーンまたはウレタンであることを特徴とする請求項３に記載の授乳クッション。
【発明の詳細な説明】
【技術分野】
【０００１】
本発明は嬰乳児を安定した姿勢に寝かせることができるようにした授乳クッションに関し、さらに詳しくは、乳児の体形に対応する湾曲形状に備えられて、安定した姿勢を保持することができるようにすることによって、授乳の時、授乳者が安定した姿勢で乳児を抱くことができて使用上の便宜性及び安全事故の危険を減少させることができる。
【背景技術】
【０００２】
一般に、新生児や乳児は体の骨格が完全でなくて、抱いたり寝かせる時、相当注意が必要である。特に、子供を抱いて移動したり、授乳するためには厚さのある布団で子供を包んで腕で抱えた状態で授乳をしたり、移動しなければならないので、不安定な姿勢によって保護者と乳児両方とも不便になる問題がある。
【０００３】
これを解消するために、多様な形態のシートが提案されており、代表的なものとして、子供を抱くことができるように、広い面積に作られた布などの基材からなる布袋に保護者の体の一部を結束させることができるように所定の長さを有する帯を連結してなるベビーキャリア及平板の部材に、両側壁にクッション材を突出して備えて、乳児が離脱されることを防止する形態で構成されたベビーシートがある。
【０００４】
ベビーキャリアの場合、布袋が布で作られていて、長時間乳児を抱いている場合、包みがその形態を堅固に保持することができなくて、乳児の頭と足の部分がお腹の方に向かって包まれて乳児が安定できず、不便であるとともに、体に無理に力を与えてしまうという問題がある。
【０００５】
ベビーシートの場合、平板の部材に乳児を寝かした姿勢または座らした姿勢で支持することができるが、体積が大きいことから移動が困難であるとともに、授乳のためには、乳児をベビーシートから持ち上げて抱かなければならないので、車用途以外にはその使用が極めて制限されるという短所がある。
【０００６】
その他にも、ベビーカーや揺動式ベッドにもシートが備えられているが、その使用用途が当該製品に限られているという問題があるとともに、授乳の時には、乳児を持ち上げて抱かなければならないという短所が残っていた。
【発明の概要】
【発明が解決しようとする課題】
【０００７】
本発明は前記のような従来技術の問題点を解決するために創出されたもので、本発明の目的は、乳児の体形に対応する湾曲形状の授乳クッションが備えられて、安定した姿勢を保持することができるようにすることによって、授乳の時、授乳者が安定した姿勢で乳児を抱くことができるようにして、使用上の便宜性及び安全事故の危険を減少させることができる。
【課題を解決するための手段】
【０００８】
前記の目的を実現するための本発明の授乳クッションは、乳児に授乳の時、乳児の頭、尻及び足が支えられるように頭支持部、尻支持部及び足支持部が形成されられた授乳クッションにおいて、前記頭支持部は乳児の頭の後ろ部分を支えるように曲面の溝形態に形成され、前記頭支持部の下部に乳児の首の後ろを支えるように首支持曲面部が湾曲形態に突出して形成され、前記首支持曲面部の下部に乳児の尻を支えるように尻支持部が曲面の溝形態に形成され、前記尻支持部の下部に乳児の膝の後ろを支えるように膝支持曲面部が湾曲形態に突出して形成され、前記膝支持曲面部の下部に乳児の足を支えるように前記足支持部が形成されられ、前記尻支持部の上部両側端には凹部が緩やかに形成されることを特徴とする。
【０００９】
本発明の特徴及び利点は添付図面に基づいた以下の詳細な説明によってさらに明らかになるであろう。これに先立って、本明細書及び請求範囲に用いられた用語や単語は通常的で辞書的な意味に解釈されてはならなく、発明者がその自分の発明を最も最善の方法で説明するために用語の概念を適切に定義することができるという原則に即して本発明の技術思想に適合する意味と概念に解釈すべきである。
【発明の効果】
【００１０】
本発明による授乳クッションは、乳児の体構造に適合する形態に湾曲された溝形態を有するようにすることによって、乳児が楽で且つ安定した姿勢を保持することができる。
【００１１】
即ち、乳児の首部分を支える首支持曲面部に連結された頭支持部と尻支持部、また乳児の膝の後ろを支える膝支持曲面部に連結された尻支持部と足支持部の構造的特徴を通じて、乳児を寝かせた時、頭、首、背中、尻及び足の部分が均一に支持されるので楽で且つ安定した姿勢を保持することができる。
【００１２】
また、本発明の授乳クッションは厚さがスリムで、多様な用途への活用が可能であり、一例として、授乳の時に乳児を安置した状態でクッションを抱えて授乳することができるので、保護者と乳児両方とも心理的に安定感を感じるとともに、姿勢を安定に保持させることができるので、乳児を落とすなどの事故の危険を大幅に減少させることができるという有用な效果が期待される。
【００１３】
その他にも、揺動式ベッドやベビーシート及びベビーカーのシートに適用したり、または着脱可能に適用させることができて、一つの製品で多様な用途への活用が可能で、使用上の便宜性を保障することができ、それによって、これを使用する消費者の満足度を高めることができるという利点がある。
【図面の簡単な説明】
【００１４】
【図１】本発明による授乳クッションを示す斜視図である。
【図２】本発明による授乳クッションを示す側面図である。
【図３】本発明による授乳クッションを示す背面図である。
【図４】本発明による授乳クッションの使用例を示す模式図である。
【図５】本発明の他の実施形態を示す側面図である。
【図６】本発明による授乳クッションの内部構成を説明するための切開図である。
【図７】本発明による授乳クッションの他の実施形態を示す斜視図である。
【図８】本発明による授乳クッションの他の実施形態を示す斜視図である。
【発明を実施するための形態】
【００１５】
以下、添付図面を参照して本発明による授乳クッションを説明すれば以下の通りである。
【００１６】
まず、図面において、同じ構成要素または部品は同じ符号を付していることに留意すべきである。本発明の説明において、係わる公知の機能あるいは構成に対する具体的な説明は本発明の要旨を明確にするために省略する。
【００１７】
図１は本発明による授乳クッションを示す斜視図であり、図２は本発明による授乳クッションを示す側面図である。また、図３は本発明による授乳クッションを示す背面図であり、図４は本発明による授乳クッションの使用例を示す模式図である。最後に、図５は本発明の他の実施形態を示す側面図であり、図６は本発明による授乳クッションの内部構成を説明するための切開図である。
【００１８】
まず、本発明による授乳クッション１は本発明の図面で授乳用に使うことを例に示したが、本発明はこれに限定されないで、通常シートが適用される乳児用品に適用されることができる旨を明らかにしておく。一例として、車用乳児シート用に適用されたり、または揺動式ベッドのシート、またはベビーカー用シートに適用されることができ、各用品に一体に備えられたり、着脱可能に備えられることができる。
【００１９】
以下、本発明の授乳クッション１の好ましい実施形態を説明する。
【００２０】
本発明の授乳クッション１は、合成樹脂材を射出成形して形成され、乳児に授乳する時、乳児の頭、尻及び足を支えるように、頭支持部１０、尻支持部３０及び足支持部５０が形成される。
【００２１】
ここで、前記頭支持部１０は、乳児の頭の後ろ部分を支えるように曲面の溝形態に形成され、前記頭支持部１０の下部に乳児の首の後ろを支えるように首支持曲面部２０が湾曲形態に突出して形成され、前記首支持曲面部２０の下部に乳児の尻を支えるように尻支持部３０が曲面の溝形態に形成され、前記尻支持部３０の下部に乳児の膝の後ろを支えるように膝支持曲面部４０が湾曲形態に突出して形成され、前記膝支持曲面部４０の下部に乳児の足を支えるように前記足支持部５０が形成される。
【００２２】
即ち、前記頭支持部１０と尻支持部３０は緩く突出された首支持曲面部２０で連結され、この時の前記首支持曲面部２０は乳児の首の後ろ部分を支持する部分である。
【００２３】
また、前記尻支持部３０と足支持部５０も緩く突出された膝支持曲面部４０で連結され、この時の前記膝支持曲面部４０は乳児の膝の後ろを支える部分である。
【００２４】
一方、本発明の頭支持部１０と尻支持部３０及び足支持部５０は、全体的に前記尻支持部３０が最も大きい溝の大きさを有するように形成され、次に足支持部５０、頭支持部１０の順に小くなる大きさを有する。また、前記膝支持曲面部４０は前記首支持曲面部２０に比べて相対的に突出された大きさを大きくして、全体的に乳児の体の曲面に対応するように形成させることによって、体を均一に支持することができる。
【００２５】
また、本発明の授乳クッション１は、前記頭支持部１０、首支持曲面部２０、尻支持部３０、膝支持曲面部４０及び足支持部５０が射出によって一体に成形され、前記授乳クッション１の辺縁に沿って相対的に軟性の材質で形成された枠部５が備えられる。一例として、前記頭支持部１０、首支持曲面部２０、尻支持部３０、膝支持曲面部４０及び足支持部５０からなるプラスチック材で一体に成形した場合、この成形体の周辺にに仕上げ材形態に備えられる枠部５は、相対的に軟質の材質（シリコーン、ウレタン材など）で成形し、この時の前記枠部５の成形方法は、別途の部材を接合して構成したり、またはインサート射出で構成することができる。
【００２６】
図３は本発明による授乳クッションを示す背面図で、本発明は保護者が授乳クッション１を抱くことができるようにするための締結具６０がさらに構成されることができる。
【００２７】
この時の前記締結具６０は、前記頭支持部１０や尻支持部３０または足支持部５０の中の少なくとも何れか一つの支持部の一側に長さ材の帯６５を連結するためのものである。このような締結具６０は前記支持部に掛け金部材で提供されて、帯を結び目で連結するように構成したり、または図３ｂに示すように、前記帯６５の端部にフック６９を構成し、支持部には掛け金部材６７を提供する形態に提供されることができる。その他にも、図３ａに示すように、前記帯６５の端部と支持部の一側に互いに弾力的に嵌め込まれる雄結合部６３及び雌結合部６１の形態に提供されることもできる。
【００２８】
このような締結具６０は公知の多様な技術によって実施されても構わないので、詳細な説明は省略する。
【００２９】
このような構成の締結具６０によって帯６５を具備した授乳クッション１は、図４に示すように、前記授乳クッション１に乳児を寝かした状態で保護者が授乳クッション１全体を抱いた後、帯６５を利用して体の一部に支持させて授乳する。
【００３０】
一方、前記の帯６５は保護者の体を支持する形態で提供されたり、または図示しない揺動式ベッド、ベビーシート、ベビーカーに取り付けることができる構造に変形適用されても構わない。
【００３１】
図５は本発明の他の実施形態を示す側面図で、図面に示すように、本実施形態における授乳クッション１は、頭支持部１０または首支持曲面部２０の中の少なくとも何れか一部分の背面に溝部７０が形成されることができる。
【００３２】
この時の前記溝部７０は、保護者が授乳のために授乳クッション１を抱く場合、人体工学的に安定的に抱くことができるようにするために、保護者の腕部分が通る経路上に形成した溝である。
【００３３】
図６は本発明による授乳クッション１の内部構成を説明するための切開図で、図面に示すように、本発明の授乳クッション１は、一面に前記頭支持部１０、首支持曲面部２０、尻支持部３０、膝支持曲面部４０及び足支持部５０が成形された本体板２と、前記本体板２の表面、即ち、乳児の体が接触される接触面に合成樹脂材、ウレタン材、ゴム材、シリコーン材の中の少なくとも何れか一つまたは一つ以上の合成物で成形された緩衝パッド３が各曲面部に沿って付着され、この緩衝パッド３の表面には棉などのように天然織物からなる織物カバー４が着脱可能に備えられる。
【００３４】
ここで、前記本体板２と緩衝パッド３は互いに接合して構成され、前記織物カバー４は前記緩衝パッド３とともに本体板２を包むように構成されて、紐やベルクロテープまたはファスナースナップなどを利用して具備されることができる。
【００３５】
図７は本発明による授乳クッションの一実施形態を示す斜視図で、これに示すように、本実施形態における授乳クッション１は、保護者が授乳クッション１を抱えた時、クッションに寝かせた乳児とより接近されることができるように、前記尻支持部３０の上部両側端に保護者の胸部分の一部が収容されることができるぐらいの緩やかな曲律を有する凹部７５がさらに形成される。
【００３６】
このように前記尻支持部３０の上部両側端に凹入して形成された凹部７５によって保護者は胸部分がクッションと安定的に密着されることができる。
【００３７】
図８は本発明による授乳クッションのまた他の実施形態を示す図面で、ベビーシートやベビーカーに適用した時、乳児が姿勢を斜めにして安置されるが、この時乳児が自重によって下方向、即ち、足支持部５０側に移動されることを防止することができるように股支持部６をさらに構成する。
【００３８】
即ち、本実施形態における前記股支持部６は、前記尻支持部３０と足支持部５０またはこれらを連結する膝支持曲面部４０の中の少なくとも何れか一部分に曲面突出形成されて、乳児の股の間に配置されることによって、乳児が前記足支持部５０側に移動されることを防止する。このような股支持部６は前記枠部５と同様に、柔軟な材質、一例として、ウレタン材・シリコーン材・軟質の合成樹脂材・ゴム材・織物で形成されることができ、本発明の授乳クッションを構成する本体板２に一体に射出成形されたり、または別途の部材で設けられて付着されることができる。
【００３９】
本発明は記載された実施形態に限定されるものではなく、本発明の思想及び範囲を逸脱しない範囲内で多様に修正及び変形できることは当該技術分野において通常の知識を有する者にとっては自明である。従って、このような変形例または修正例は本発明の特許請求の範囲に属するものとすべきである。
【図１】
0005490822.tif 000002
【図２】
0005490822.tif 000003
【図３（ａ）】
0005490822.tif 000004
【図３（ｂ）】
0005490822.tif 000005
【図４】
0005490822.tif 000006
【図５】
0005490822.tif 000007
【図６】
0005490822.tif 000008
【図７】
0005490822.tif 000009
【図８】
0005490822.tif 000010